【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
回転する感光体と、前記感光体を帯電する帯電手段と、光照射を行い前記感光体上に静電潜像を形成する光照射手段と、前記静電潜像にトナーを載せて前記感光体上にトナー像を形成する現像手段と、前記感光体上に付着したトナー像をベルト上に転写する転写手段と、を含む画像形成部を備えたカラー画像形成装置であって、
前記感光体の回転方向において前記転写手段の下流であって、前記帯電手段による帯電前における感光体表面に光を照射する前露光手段と、
感光体に対して配置された前記帯電手段に電力を供給する電源手段と、
前記光照射手段が光照射を行うことによって前記感光体上に形成された色ずれ補正用の静電潜像が前記帯電手段に対向する位置を通過するときの前記電源手段の出力を検出する検出手段と、
前記検出手段による検出結果に基づき、検出された色ずれ状態が少なくとも基準状態に近づくように色ずれ補正制御を行う色ずれ補正制御手段と、前記前露光手段の発光量を制御する光量制御手段と、を備え、
前記感光体に形成された色ずれ補正用の静電潜像が、前記帯電手段に対向する位置を通過する前であって、前記前露光手段に対向する位置を通過する際には、前記光量制御手段によって前記前露光手段の発光量は減少されていることを特徴とする画像形成装置。
【請求項２】
前記現像手段を、トナー像の形成位置から離隔させる、或いは少なくとも通常のトナー像形成時よりも前記感光体への作用が小さくなるように設定とするとともに、前記転写手段を、トナー像の形成位置から離隔させる、或いは少なくとも通常のトナー像形成時よりも前記感光体への作用が小さくなるように設定するプロセス部制御手段を備えることを特徴とする請求項１に記載の画像形成装置。
【請求項３】
前記形成手段により形成された色ずれ補正用の静電潜像が、前記帯電手段に対向する位置を通過した後であって、前記色ずれ補正用の静電潜像が形成されていた箇所が、前記前露光手段に対向する位置を通過するときに、前記光量制御手段は、前記前露光手段を再発光させることを特徴とする請求項１又は２に記載の画像形成装置。
【請求項４】
前記再発光が開始されたときの感光ドラム表面の位置が、前記光照射手段により光照射させる位置に到達することに応じて、前記光照射手段による次の光照射が行われることを特徴とする請求項３に記載の画像形成装置。
【請求項５】
前記前露光手段の発光量は減少されているとは、前記前露光手段によって光の照射を行わないことであることを特徴とする請求項１に記載の画像形成装置。
【請求項６】
前記電源手段と、前記検出手段は、それぞれ各色に対応して備えられていることを特徴とする請求項１乃至５のいずれか１項に記載の画像形成装置。
【請求項７】
前記色ずれ補正用の静電潜像が、前記帯電手段に対向する位置を通過する前であって、前記前露光手段に対向する位置を通過する際には、前記光量制御手段によって前記前露光手段の発光量は通常の画像形成時よりも減少されていることを特徴とする請求項１乃至６のいずれか１項に記載の画像形成装置。
【請求項８】
回転する感光体と、前記感光体を帯電する帯電手段と、光照射を行い前記感光体に静電潜像を形成する光照射手段と、前記静電潜像をトナー像として現像する現像手段と、前記トナー像を被転写体上に転写する転写手段と、を有し、前記光照射手段は前記感光体に補正用の静電潜像を形成可能な画像形成装置において、
前記感光体の回転方向において前記帯電手段よりも上流に配置される、感光体に光を照射する前露光手段と、
前記感光体に形成された補正用の静電潜像を検出する検出手段と、
前記検出手段からの検出結果に基づき、画像形成時の静電潜像を形成する位置を補正する制御手段と、を備え、
前記補正用の静電潜像が前記検出手段に検出される前であって、前記前露光手段に対向する位置を通過する際には、前記制御手段によって前記前露光手段の発光量は減少されていることを特徴とする画像形成装置。
【請求項９】
前記制御手段は、前記補正用の静電潜像が前記現像手段に対向する位置を通過する際には、前記現像手段をトナー像の形成位置から離隔させる、或いは通常の画像形成時よりも前記感光体への作用が少なくとも小さくさせるように制御することを特徴とする請求項８に記載の画像形成装置。
【請求項１０】
前記制御手段は、前記補正用の静電潜像が前記転写手段に対向する位置を通過する際には、前記転写手段をトナー像の形成位置から離隔させる、或いは通常の画像形成時よりも前記感光体への作用が少なくとも小さくさせるように制御することを特徴とする請求項８又は９に記載の画像形成装置。
【請求項１１】
前記制御手段は、前記補正用の静電潜像が前記帯電手段に対向する位置を通過した後であって、前記補正用の静電潜像が形成されていた位置が前記前露光手段に対向する位置を通過するときに、前記前露光手段を再発光させるように制御することを特徴とする請求項８乃至１０のいずれか１項に記載の画像形成装置。
【請求項１２】
前記制御手段は、前記再発光が開始されたときの感光ドラム表面の位置が、前記光照射手段により光照射させる位置に到達することに応じて、前記光照射手段による次の光照射が行われるように制御することを特徴とする請求項１１に記載の画像形成装置。
【請求項１３】
前記前露光手段の発光量は減少されているとは、前記前露光手段によって光の照射を行わないことであることを特徴とする請求項８乃至１２のいずれか１項に記載の画像形成装置。
【請求項１４】
前記補正用の静電潜像が前記検出手段に検出される前であって、前記前露光手段に対向する位置を通過する際には、前記前露光手段の発光量は通常の画像形成時よりも減少されていることを特徴とする請求項８乃至１２のいずれか１項に記載の画像形成装置。
【請求項１５】
前記制御手段は、前記検出手段により前記補正用の静電潜像が検出された状態が少なくとも基準状態に近づくように、画像形成時の静電潜像を形成するための条件を補正することを特徴とする請求項８乃至１４のいずれか１項に記載の画像形成装置。
【請求項１６】
前記帯電手段に電力を供給する電源手段、を有し、
前記検出手段は、前記補正用の静電潜像が前記帯電手段に対向する位置を通過する際の前記電源手段の出力を検出する請求項８に記載の画像形成装置。
【請求項１７】
前記光照射手段は、補正用の静電潜像を前記感光体の複数の位置に形成し、
前記検出手段は、複数の補正用の静電潜像の夫々を検出し、
前記制御手段は、前記検出手段からの検出結果に基づき、画像形成時の静電潜像を形成するための条件を補正することを特徴とする請求項８乃至１６のいずれか１項に記載の画像形成装置。
【請求項１８】
複数の感光体を有し、
前記検出手段は前記複数の感光体で共通しており、前記複数の感光体において、補正用の静電潜像の前記検出手段による検出タイミングは重複していないことを特徴とする請求項８乃至１７のいずれか１項に記載の画像形成装置。
【請求項１９】
複数の感光体を有し、
前記複数の感光体に夫々対応した複数の検出手段を備え、
前記複数の検出手段は、夫々対応した感光体に形成された前記補正用の静電潜像を独立して検出することを特徴とする請求項８乃至１７のいずれか１項に記載の画像形成装置。
【請求項２０】
複数の感光体を有し、
前記制御手段は、画像形成時の静電潜像を形成する位置を補正することによって、前記複数の感光体の間における色ずれを補正することを特徴とする請求項８乃至１９のいずれか１項に記載の画像形成装置。
【請求項２１】
前記制御手段は、画像形成時の静電潜像を形成するための条件の補正として、前記光照射手段による光の照射タイミングを補正する、又は前記光照射手段による光の照射を行う際の感光体の速度を補正することを特徴とする請求項８に記載の画像形成装置。
【請求項２２】
回転する感光体と、前記感光体を帯電する帯電手段と、光照射を行い前記感光体に静電潜像を形成する光照射手段と、前記静電潜像をトナー像として現像する現像手段と、前記トナー像を被転写体上に転写する転写手段と、を有し、前記光照射手段は前記感光体に補正用の静電潜像を形成可能な画像形成装置において、
前記感光体の回転方向において前記帯電手段よりも上流に配置される、感光体に光を照射する前露光手段と、
前記補正用の静電潜像が形成された位置を検出する検出手段と、
前記検出手段からの検出結果に基づき、画像形成時の静電潜像を形成する位置を補正する制御手段と、を備え、
前記補正用の静電潜像が形成された位置が前記検出手段に検出される前であって、前記前露光手段に対向する位置を通過する際には、前記制御手段によって前記前露光手段の発光量は減少されていることを特徴とする画像形成装置。
【請求項２３】
前記前露光手段の発光量は減少されているとは、前記前露光手段によって光の照射を行わないことであることを特徴とする請求項２２に記載の画像形成装置。
【請求項２４】
前記補正用の静電潜像が前記検出手段に検出される前であって、前記前露光手段に対向する位置を通過する際には、前記前露光手段の発光量は通常の画像形成時よりも減少されていることを特徴とする請求項２２に記載の画像形成装置。
【請求項２５】
前記現像手段は、前記補正用の静電潜像が前記検出手段に検出される前であって、前記前露光手段に対向する位置を通過する際には、現像バイアスの印加が停止されることを特徴とする請求項２２乃至２４のいずれか１項に記載の画像形成装置。
【請求項２６】
前記制御手段は、画像形成時の静電潜像を形成する位置の補正として、前記光照射手段による光の照射タイミングを補正する、又は前記光照射手段による光の照射を行う際の感光体の速度を補正することを特徴とする請求項２２乃至２５のいずれか１項に記載の画像形成装置。
【手続補正２】
【補正対象書類名】明細書
【補正対象項目名】０００９
【補正方法】変更
【補正の内容】
【０００９】
回転する感光体と、前記感光体を帯電する帯電手段と、光照射を行い前記感光体上に静電潜像を形成する光照射手段と、前記静電潜像にトナーを載せて前記感光体上にトナー像を形成する現像手段と、前記感光体上に付着したトナー像をベルト上に転写する転写手段と、を含む画像形成部を備えたカラー画像形成装置であって、前記感光体の回転方向において前記転写手段の下流であって、前記帯電手段による帯電前における感光体表面に光を照射する前露光手段と、感光体に対して配置された前記帯電手段に電力を供給する電源手段と、前記光照射手段が光照射を行うことによって前記感光体上に形成された色ずれ補正用の静電潜像が前記帯電手段に対向する位置を通過するときの前記電源手段の出力を検出する検出手段と、前記検出手段による検出結果に基づき、検出された色ずれ状態が少なくとも基準状態に近づくように色ずれ補正制御を行う色ずれ補正制御手段と、前記前露光手段の発光量を制御する光量制御手段と、を備え、前記感光体に形成された色ずれ補正用の静電潜像が、前記帯電手段に対向する位置を通過する前であって、前記前露光手段に対向する位置を通過する際には、前記光量制御手段によって前記前露光手段の発光量は減少されていることを特徴とする画像形成装置。